(57)【要約】【課題】    ビル等の広大な面積の屋上緑化を簡単に、しかも短期間で実施し得るプランターを提供する。【解決手段】    植物を育成するプランター１であって、プランター本体２の上面よりも大きい面積を有する網状パネル体３をプランター本体２の上面に水平状に取付け、プランター本体２につる植物を植栽し、これらプランター１を連設し、網状パネル体３に絡まって成長したつる植物によって屋上を緑化する。【選択図】        図１
2005176827.tif 000002
【特許請求の範囲】
【請求項１】
植物を育成するプランターであって、プランター本体の上面よりも大きい面積を有する網状パネル体をプランター本体の上面に水平状に取付けたことを特徴とするプランター。
【請求項２】
網状パネル体を平面視正方形状としたことを特徴とする請求項１に記載のプランター。
【請求項３】
プランター本体の下部にキャスター装置を設けたことを特徴とする請求項１または２に記載のプランター。
【請求項４】
網状パネル体とプランター本体の間に、プランター本体の上面よりも大きい受水面を有し、プランター本体の上面に導水する漏斗部材を設けたことを特徴とする請求項１乃至３に記載のプランター。
【発明の詳細な説明】
【技術分野】
【０００１】
この発明は、植物を育成するプランターに関するものであり、特にビル等の屋上緑化に適したプランターに関するものである。
【背景技術】
【０００２】
近年、ヒートアイランド現象の緩和、大気中の二酸化炭素削減、建物の省エネルギー及び人への癒し効果等の観点からビル等の屋上緑化が進められている。
屋上緑化の代表的な施工方法としては、緑化する区域に防水シートを敷詰め、その上に軽量土壌を敷設し、樹木、草花等を植えたものが知られている。
しかしながら、従来の方法では施工作業が煩雑なものであり、また植物の育成に長期間を要するので、屋上緑化を簡単に実施することができないものであった。
【０００３】
特許文献１には、建物の屋上をパーゴラ等の棚で覆い、パーゴラの下にプランターを設置し、プランターに植栽したつる植物の枝葉をパーゴラに誘引した屋上緑化方法が開示されている。
特許文献１に記載されている緑化方法によれば、植物はプランターに植栽するので、屋上に防水シートや土を敷設する必要は無くなるが、パーゴラを設置した後に、プランターに植栽した植物を育成し、この植物をパーゴラに誘引して緑化するので、植物が成長して屋上が緑化されるまでには長期間を要するものである。
【０００４】
特許文献２には、プランターにネットを取付け、このネットにプランターに植栽したつる植物を誘引するものが開示されている。特許文献２に示されるプランターであれば、予め別の場所で植物を育成したプランターを持ち込むことにより、屋上を緑化するのに要する期間は不要となるが、特許文献２に記載のプランターはパーティションとして用いられるものであり、屋上等の平面を緑化するものではない。
【０００５】
【特許文献１】特開平９−１４０２５２号公報
【特許文献２】実開平７−３９３６６号公報
【発明の開示】
【発明が解決しようとする課題】
【０００６】
本発明の目的は、屋上緑化を簡単に、しかも短期間で実施し得るプランターを提供することにある。
【課題を解決するための手段】
【０００７】
本発明者は、このような事情に鑑み鋭意検討を重ねた結果、プランター本体の上面よりも大きい面積を有する網状パネル体をプランター本体の上面に水平状に取付けたことによって、所期の目的を達成したものである。
【０００８】
さらに、網状パネル体を平面視正方形状としたことにより、複数のプランターを隙間無く連設することができ、広大な面積の緑化が可能となる。
【０００９】
また、プランター本体の下部にキャスター装置を設けたことにより、土を入れて重量が大きくなってもプランターの移動が簡単に行え、屋上緑化する区域のレイアウト変更を容易に行うことができる。
【００１０】
網状パネル体とプランター本体の間に、プランター本体の上面よりも大きい受水面を有し、プランター本体の上面に導水する漏斗部材を設けたことにより、プランター本体の植物に効率良く潅水することができる。
【発明の効果】
【００１１】
本発明プランターによれば、プランター本体の上面よりも大きい面積を有する網状パネル体をプランター本体の上面に水平状に取付けているので、これにつる植物を植栽すると、網状パネル体に絡まって成長し、プランター本体の上面よりも大きな緑化面積を得ることができ、効率良くビル等の屋上を緑化することができる。また、網状パネル体は水平状に配置されているので、このプランターを連設することにより、広大な緑化面積を簡単に得ることができる。
【発明を実施するための最良の形態】
【００１２】
以下、本発明を実施するための最良の形態を実施例に基づき説明する。
図１乃至図５は本発明プランターの第一実施例であり、図中１はプランターを表わし、土が入れられるプランター本体２と、プランター本体２の上面に取付けた網状パネル体３とを有している。本実施例のプランター本体２は、表面に塗装を施した軽量コンクリートによって一体形成されているが、ＦＲＰ等の樹脂によって形成することも可能である。また、プランター本体２は円筒形状であるが、立方形状、多角形の筒状体等種々の形態を採用することができる。
【００１３】
網状パネル体３は、平面視正方形状を呈しており、縦横線材を格子状に連結して網目パネル３１を形成し、平行に配置した２枚の網目パネル３１，３１を斜めに配設した連結線材３２によって連結した所謂二重金網に形成されている。網状パネル体３の面積は、プランター本体２の上面の面積よりも大きく形成されており、円筒形のプランター本体２の直径が８００ｍｍ、これに対し四角形状の網状パネル体３の一辺が１２００ｍｍとなっている。
【００１４】
網状パネル体３は、プランター本体２の周縁部４箇所に取付金具４を介して取付けられている。取付金具４は上側に位置する押えブラケット４１と、取付け台座４２とから構成されている。網状パネル体３の取付けは、下側に位置する網目パネル３１の線材を押えブラケット４１の凹部４１１内に配置し、押えブラケット４１を取付け台座４２の上面４２１に螺子止めし、取付け台座４２の二股状脚部４２１をプランター本体２の側壁に係合し、二股状脚部４２１とプランター本体２の側壁に穿設した通孔を挿通する螺子によって取付金具４をプランター本体２に締着し、網状パネル体３の取付けが完了する。
【００１５】
このように、プランター本体２の上部には、プランター本体２の上面よりも大きい面積の網状パネル体３が取付けられている。プランター本体２の内部には軽量土壌が投入され、アイビー、ポトス、フィカスプミラ及びフウセンカズラ等のつる植物Ｓを植栽し、つる植物Ｓは網状パネル体３に絡まって成長し、植物Ｓが網状パネル体３の全体に行き渡る程度まで成長すると、網状パネル体３の上面がつる植物Ｓによって緑化される。
プランター１を用いて、ビル等の屋上を緑化するに当たっては、予めつる植物Ｓを育成しておいた複数のプランター１を隙間無く連設することにより、網状パネル体３に絡まったつる植物Ｓによって、広大な屋上緑化面積を形成することができる（図５参照）。しかも、別の場所等で予め植物を育成したプランター１を搬入することにより屋上緑化が完了するので、屋上緑化作業が短期間で済む。
なお、網状パネル体３に緑色塗装を施すことにより、植物の間から網状パネル体３が露呈してもこれが目立たなくて良い。
【００１６】
図６乃至８は、本発明プランター１の第二実施例を表わすものであり、第一実施例と同じ部分については同一符号を用い、その説明は省略する。第一実施例においては、正方形状の網状パネル体３を用いたが、第二実施例においては円形状の網状パネル体３を用いた点が異なる。正方形状の場合は、プランター１を連設することにより、隙間無く緑化することが可能となり、広大な面積の屋上緑化に適しているが、この第二実施例の場合、連設するよりも寧ろスポット的に点在させた利用方法が適している。
さらに図７は、第二実施例の変形例であり、円形状の網状パネル体３の中央部の網目パネル３１を切除するか、或いは網状パネル体３をドーナッツ状とすることにより、つる植物Ｓ以外の樹木Ｔの植栽も可能となる。
【００１７】
図９は、本発明プランター１の第三実施例を表わすものであり、第一実施例と同じ部分については同一符号を用い、その説明は省略する。第三実施例においては、プランター本体２の下部にキャスター装置５が設けられており、首振り自在なキャスター装置５がプランター本体２の下部に４箇所設けられている。土と水分により重量が大きくなると設置作業に多大な労力を要するが、キャスター装置５を設けておくことにより、プランター１の移動が簡単に、しかも人手を要することなく行える。また、緑化する区域のレイアウト変更にも容易に対応し得る。
【００１８】
図１０乃至１２は、本発明プランター１の第四実施例を表わすものであり、第一実施例と同じ部分については同一符号を用い、その説明は省略する。第四実施例においては、網状パネル体３とプランター本体２の間に配置され、プランター本体２の上面に導水する漏斗部材６を設けたものである。漏斗部材６は金属製板材によって形成されており、平面視中央部に貫通穴６１が設けられ、貫通穴６１の周囲に受水面６２が形成されている。貫通穴６１の大きさは、プランター本体２の上面の形状と略同じに形成され、貫通穴６１に沿って形成された筒状部６３がプランター本体２の内壁２１と合致している。さらに、受水面６２の下面には、取付金具６４が適数箇所に固着されており、取付金具６４、プランター本体２の側壁及び筒状部６３を貫通する通しボルト６５によって、漏斗部材６がプランター本体２に取り付けられている。
【００１９】
受水面６２の外周はプランター本体２の上面よりも大きく形成され、受水面６２は貫通穴６１に向けて下方に傾斜している。従って、受水面６２が受けた雨水等は、貫通穴６１に向けて導水され、プランター本体２内に流れ込むので、雨水等を効率良く植物に潅水することができる。なお、受水面６２の外周は、網状パネル体３の外周と同じかあるいはそれ以下の大きさとすることにより、プランター１を連設する際に漏斗部材６が邪魔とならず、隣接するプランター１の網状パネル体３を密接することができる。
漏斗部材６の平面形状は円形状の網状パネル体３の下方に配置する場合には、図１１に示す円形状とし、四角形状の網状パネル体３の場合には、図１２に示す四角形状とすれば良い。また、貫通穴６１の形状も、円柱状のプランター本体２に取り付ける場合には、図１１に示す円形状とし、四角柱状のプランター本体２に取り付ける場合には、図１２に示す四角形状とすれば良い。
【００２０】
上記実施例において網状パネル体３は二つの網目パネル３１，３１を連結した二重金網を用いた例について説明したが、一つの網目パネル３１だけによる網状パネル体を用いても構わない。また、網状パネル体３とプランター本体２の連結に用いた取付金具４は、種々の構成のものを使用することができる。
【図面の簡単な説明】
【００２１】
【図１】本発明プランターの第一実施例の側面図
【図２】本発明プランターの第一実施例の平面図
【図３】本発明プランターの要部拡大断面図
【図４】本発明プランターの第一実施例における斜視図であり、（Ａ）が植栽前の状態、（Ｂ）が植栽後の状態を表わす
【図５】本発明プランターを連設して屋上緑化した全体図
【図６】本発明プランターの第二実施例の平面図
【図７】本発明プランターの第二実施例における斜視図であり、（Ａ）が植栽前の状態、（Ｂ）が植栽後の状態を表わす
【図８】本発明プランターの第二実施例における変形例を表わす斜視図
【図９】本発明プランターの第三実施例の側面図
【図１０】本発明プランターの第四実施例における漏斗部材の側面図
【図１１】本発明プランターの第四実施例における漏斗部材の平面図
【図１２】本発明プランターの第四実施例における漏斗部材の他の変形例を表わす平面図
【符号の説明】
【００２２】
１      プランター
２      プランター本体
３      網状パネル体
４      取付金具
５      キャスター装置
６      漏斗部材
６２      受水面
【図１】
2005176827.tif 000003
【図２】
2005176827.tif 000004
【図３】
2005176827.tif 000005
【図６】
2005176827.tif 000006
【図９】
2005176827.tif 000007
【図１０】
2005176827.tif 000008
【図１１】
2005176827.tif 000009
【図１２】
2005176827.tif 000010
【図４】
2005176827.tif 000011
【図５】
2005176827.tif 000012
【図７】
2005176827.tif 000013
【図８】
2005176827.tif 000014